(57)【要約】【課題】客層が高齢者と判断されるとレシートに拡大文字フォントで印字出力が可能となる。【解決手段】客層キーが入力されると客層情報メモリに最も新しい客層コードが記憶される。登録締め終了が宣言されると客層情報メモリに記憶されている客層情報に基づいて客層別文字情報メモリに記憶されている同一客層情報の文字情報が拡大文字フォントか通常文字フォントかを調べる。前記拡大文字フォントと判定されると拡大文字レシート印字データを生成する。生成された前記拡大文字レシート印字データに基づいてレシートへ印字出力する。また、前記通常文字フォントと判定されると通常文字レシート印字データを生成する。生成された前記通常文字レシート印字データに基づいてレシートへ印字出力する。【選択図】      図１
2016038798.tif 000002
【特許請求の範囲】
【請求項１】
商品情報を登録処理する商品登録手段と、
この商品登録手段により登録された商品情報の取引情報を記憶する取引情報記憶部と、
１商取引の商品情報の登録締め終了を宣言する登録締め手段と、
客層別に文字情報を設定記憶する客層別文字情報記憶部と、
顧客の客層を入力する客層入力手段と、
１商取引の開始以降に前記客層入力手段により最も新しく入力された客層を表す客層情報を記憶する客層情報記憶部と、
前記登録締め手段により登録締め終了が宣言されると前記客層情報記憶部に記憶されている当該客層情報に基づいて前記客層別文字情報記憶部に設定記憶されている同一客層情報の文字情報が拡大文字フォントか通常文字フォントかを判定する判定手段と、
この判定手段により当該文字情報が前記拡大文字フォントと判定されると前記拡大文字フォントによる拡大文字レシート印字データを生成する拡大文字印字データ生成手段と、
この拡大文字印字データ生成手段により生成された前記拡大文字レシート印字データに基づいてレシートへ印字出力する拡大文字印字出力手段と、
前記判定手段により当該文字情報が前記通常文字フォントと判定されると前記通常文字フォントによる通常文字レシート印字データを生成する通常文字印字データ生成手段と、
この通常文字印字データ生成手段により生成された前記通常文字レシート印字データに基づいてレシートへ印字出力する通常文字印字出力手段と、
を備えたことを特徴とする商品販売データ処理装置。
【請求項２】
１商取引の商品販売データを処理する商品販売データ処理装置を、
商品情報を登録処理する商品登録手段と、
この商品登録手段により登録された商品情報の取引情報を記憶する取引情報記憶部と、
１商取引の商品情報の登録締め終了を宣言する登録締め手段と、
客層別に文字情報を設定記憶する客層別文字情報記憶部と、
顧客の客層を入力する客層入力手段と、
１商取引の開始以降に前記客層入力手段により最も新しく入力された客層を表す客層情報を記憶する客層情報記憶部と、
前記登録締め手段により登録締め終了が宣言されると前記客層情報記憶部に記憶されている当該客層情報に基づいて前記客層別文字情報記憶部に設定記憶されている同一客層情報の文字情報が拡大文字フォントか通常文字フォントかを判定する判定手段と、
この判定手段により当該文字情報が前記拡大文字フォントと判定されると前記拡大文字フォントによる拡大文字レシート印字データを生成する拡大文字印字データ生成手段と、
この拡大文字印字データ生成手段により生成された前記拡大文字レシート印字データに基づいてレシートへ印字出力する拡大文字印字出力手段と、
前記判定手段により当該文字情報が前記通常文字フォントと判定されると前記通常文字フォントによる通常文字レシート印字データを生成する通常文字印字データ生成手段と、
この通常文字印字データ生成手段により生成された前記通常文字レシート印字データに基づいてレシートへ印字出力する通常文字印字出力手段と、
して機能させるための商品販売データ処理装置の制御プログラム。
【発明の詳細な説明】
【技術分野】
【０００１】
本発明の実施形態は、ＰＯＳ端末などの商品販売データ処理装置およびその制御プログラムに関する。
【背景技術】
【０００２】
一部のＰＯＳ端末や金銭登録機等の商品販売データ処理装置においては、キーボードに複数の客層キーが設けられている。この客層キーにより客層を区分するようになっている。
【０００３】
高齢化社会においてレシートの文字サイズが小さく高齢者等には非常に見にくいことがあげられる。そこで、ＰＯＳ端末や金銭登録機等では、商品の登録時に客層キーによって客層を入力すると客層キーに対応して通常文字サイズや拡大文字サイズが設定されている。操作者が客層キーを入力すると、決済の際に、客層別に発行されるレシートが通常文字サイズや拡大文字サイズで印字されるようになっている。
【先行技術文献】
【特許文献】
【０００４】
【特許文献１】特開２０００−２３５６７５公報
【発明の概要】
【発明が解決しようとする課題】
【０００５】
しかしながら、この種の商品販売データ処理装置では、商品登録時において顧客の客層を客層キーにより入力した後に、決済の際に客層の判断に迷いがあったとしても再度、客層キーの入力するようにはなっていなかった。
【０００６】
本発明が解決しようとする課題は、操作性のよい商品販売データ処理装置およびその制御プログラムを提供しようとするものである。
【課題を解決するための手段】
【０００７】
一実施形態において商品販売データ処理装置は、商品情報を登録処理する商品登録手段と、この商品登録手段により登録された商品情報の取引情報を記憶する取引情報記憶部と、１商取引の商品情報の登録締め終了を宣言する登録締め手段と、客層別に文字情報を設定記憶する客層別文字情報記憶部と、顧客の客層を入力する客層入力手段と、１商取引の開始以降に前記客層入力手段により最も新しく入力された客層を表す客層情報を記憶する客層情報記憶部と、前記登録締め手段により登録締め終了が宣言されると前記客層情報記憶部に記憶されている当該客層情報に基づいて前記客層別文字情報記憶部に設定記憶されている同一客層情報の文字情報が拡大文字フォントか通常文字フォントかを判定する判定手段と、この判定手段により当該文字情報が前記拡大文字フォントと判定されると前記拡大文字フォントによる拡大文字レシート印字データを生成する拡大文字印字データ生成手段と、この拡大文字印字データ生成手段により生成された前記拡大文字レシート印字データに基づいてレシートへ印字出力する拡大文字印字出力手段と、前記判定手段により当該文字情報が前記通常文字フォントと判定されると前記通常文字フォントによる通常文字レシート印字データを生成する通常文字印字データ生成手段と、この通常文字印字データ生成手段により生成された前記通常文字レシート印字データに基づいてレシートへ印字出力する通常文字印字出力手段と、を備えたものである。
【図面の簡単な説明】
【０００８】
【図１】一実施形態に係るＰＯＳ端末の要部構成を示すブロック図。
【図２】同実施の形態に係るＰＯＳ端末のＲＡＭに形成される主要なメモリエリアを示す模式図。
【図３】同実施の形態に係るＰＯＳ端末の補助記憶部に形成される客層別文字情報テーブルのデータ構造の一例を示す模式図。
【図４】同実施の形態に係るＰＯＳ端末のキーボードの主要なキー配列の一例を示す平面図。
【図５】同実施の形態に係るＰＯＳ端末のＣＰＵが実行する商品販売データ処理の前半部のステップを示すフローチャート。
【図６】同実施の形態に係るＰＯＳ端末のＣＰＵが実行する商品販売データ処理の後半部のステップを示すフローチャート。
【図７】同実施の形態に係るＰＯＳ端末において通常文字フォントで印字出力されるレシートの一例を示すイメージ図。
【図８】同実施の形態に係るＰＯＳ端末において拡大文字フォントで印字出力されるレシートの一例を示すイメージ図。
【発明を実施するための形態】
【０００９】
以下、商品販売データ処理装置としてＰＯＳ端末（Point Of Sales）に適用した一実施形態について図面を用いて説明する。
【００１０】
図１はＰＯＳ端末１１の要部構成を示すブロック図である。
【００１１】
図１に示すように、ＰＯＳ端末１１は、主制御部としてＣＰＵ（Central Processing Unit）２１と、このＣＰＵ２１によって制御される主記憶部としてＲＯＭ（Read Only Memory）２２、ＲＡＭ（Random Access Memory）２３が搭載されている。前記ＣＰＵ２１には、ＲＯＭ２２、ＲＡＭ２３、補助記憶部２４、時計部２５、通信インタフェース（Ｉ／Ｆ）２６、Ｉ／Ｏポート（Input／Output）２７、キーボードコントローラ２８、スキャナコントローラ２９、第１および第２表示部コントローラ３０、３１、プリンタコントローラ３２およびカードリーダコントローラ３３などの各部をアドレスバス、データバス、制御バスなどのバスライン３５を介してそれぞれ接続している。
【００１２】
そして、Ｉ／Ｏポート２７には、モードスイッチ３６、ドロワ開放部３７を接続し、キーボードコントローラ２８にキーボード３８を接続し、スキャナコントローラ２９にスキャナ３９を接続し、第１表示部コントローラ３０に前面表示器４０を接続し、第２表示部コントローラ３１に客面表示部４１を接続し、プリンタコントローラ３２にプリンタ４２を接続し、カードリーダコントローラ３３にカードリーダ４３を接続している。
【００１３】
ＣＰＵ２１は、ＲＯＭ２２およびＲＡＭ２３に記憶されたオペレーティングシステム（Operating System）、ミドルウェアおよびアプリケーションプログラムに基づいて、ＰＯＳ端末１１としての各種の動作を実現させる各部を制御する。
【００１４】
ＲＯＭ２２には、ＰＯＳ端末１１の基本的な制御プログラムなどの固定的データを格納している。
【００１５】
さらに、文字生成装置としてこのＲＯＭ２２にフォントメモリを格納している。このフォントメモリの一部には、通常文字フォントメモリと、通常文字フォントに比べて大きな文字の拡大文字フォントメモリと、を格納している。通常文字フォントメモリには、通常文字フォント、拡大文字フォントメモリには、拡大文字フォントを格納している。ＯＳがフォントメモリから文字の形状を取得するようになっている。
【００１６】
ＲＡＭ２３は、ＣＰＵ２１が各種の処理を行う上で参照するデータを記憶する。さらに、ＲＡＭ２３には、各種の処理を行う上で一時的に使用するデータを記憶しておく。いわゆるワークメモリとして利用される。ＲＡＭ２３の記憶領域の一部は、取引情報エリアとして使用される。
【００１７】
図２は、ＲＡＭ２３の記憶領域に形成された取引情報エリアのデータ構造例を示す模式図である。
【００１８】
図２に示すように、取引情報メモリ５１、客層情報メモリ５２および印字メモリ５３が形成されている。
【００１９】
取引情報メモリ５１には、取引番号エリア、取引日時エリア、レジＮｏエリア、責任者コードエリア、責任者名エリア、ＰＬＵコードエリア、商品名エリア、単価エリア、販売点数エリア、販売金額エリア、小計金額エリア、外税対象額エリア、消費税エリア、合計金額エリア、預り金額エリア、釣銭額エリアおよび合計点数エリア等からなる取引情報レコードを一時的に記憶する。ここに、取引情報メモリ５１は、取引情報記憶部として機能する。
【００２０】
客層情報メモリ５２には、客層を表した客層情報を記憶する。
【００２１】
なお、客層とは、顧客をその特性に応じて区分する階層のことである。客層情報として客層コード、客層年代・性別を含む客層別レコードが格納されるようになっている。主に、客層は、年代と性別とにより定まる。すなわち、客層は例えば、「二十代、男性」、「二十代、女性」、「高齢者、男性」および「高齢者、女性」のように定められる。
【００２２】
そして、客層は、顧客の外見から店員が判断できるように定められている。ここに、客層情報メモリ５２は、客層情報記憶部として機能する。
【００２３】
印字メモリ５３には、１商取引分の取引情報メモリ５１に記憶されているレシート印字データを一時的に記憶するようになっている。
【００２４】
補助記憶部２４は、たとえば、ハードディスクドライブやＳＳＤ（Solid State Drive）などであり、ＣＰＵ２１が各種の処理を行う上で使用するデータおよびＣＰＵ２１での処理によって生成されたデータを保存する。
【００２５】
また、補助記憶部２４に記憶されるデータには、客層別文字情報テーブル６１、ＰＬＵ（Price Look Up)ファイルおよび他のファイル等を含む。
【００２６】
図３は、客層別文字情報テーブル６１に設定記憶されている客層コード別の文字情報のデータ構造を示す模式図である。
【００２７】
図３に示すように、客層コードに対応させて文字情報としてフラグＦが設定されている。客層コードは“１”〜“０”が設定され、文字情報のフラグＦは、客層コードに対応して“０”または“１”のいずれかが設定されている。
【００２８】
そして、ＣＰＵ２１は、文字情報のフラグＦが“０”(客層コード：１〜８)に設定されている場合には、通常文字フォントであり、レシート１１０（図７参照）への印字が通常文字フォントにより行われるようになっている。
【００２９】
また、ＣＰＵ２１は、文字情報のフラグＦが“１”（客層コード：９〜０）に設定されている場合には、拡大文字フォントであり、客層が「高齢者」なので、レシート１２０（図８参照）への印字が拡大文字フォントにより行われる。
【００３０】
ＰＬＵファイルは、ＰＯＳ端末１１が使用される店舗で販売または提供される商品についての情報としてＰＬＵコードに対応して商品名および単価などが格納されている。
【００３１】
またＰＯＳ端末１１の起動時、補助記憶部２４に格納されたデータの全部または一部がＲＡＭ２３にコピーされる。そのＲＡＭ２３にコピーされた各データに従ってＣＰＵ２１は、各処理を実行する。
【００３２】
時計部２５は、定常的に計時動作を行い、日付および時刻を表した日時情報を生成する。
【００３３】
通信インタフェース（Ｉ/F）２６は、サーバ１２と通信ネットワーク１３を介してデータ通信を制御する。
【００３４】
サーバ１２は、ＰＯＳ端末１１が設置されているのと同じ店舗に備えた店舗サーバやＰＯＳ端末１１が設置されているのと同じ店舗を含んだ複数の店舗を管理する本部に設置された本部サーバである。
【００３５】
サーバ１２は、ＰＯＳ端末１１及びその他のＰＯＳ端末でそれぞれ生成された商品販売データを集計し、各ＰＯＳ端末で使用するデータを管理する。サーバ１２は、ＰＯＳ端末１１および他のＰＯＳ端末に配信するためのＰＬＵファイルや客層別文字情報テーブル６１を保存している。
【００３６】
Ｉ／Ｏポート２７は、モードスイッチ３６からモード信号が入力される。また、ＣＰＵ２１の制御によりドロワを自動開放させるための開放指令信号がドロワ開放部３７に対して出力するようになっている。
【００３７】
前記モードスイッチ３６には、「登録」、「点検」、「精算」および「設定」などの各種業務モードの中からいずれか１つ選択しその実行をＣＰＵ２１に知らせるための切替えスイッチである。
【００３８】
因みに「登録」モードは、商品登録手段により商品登録された商品販売データの取引情報をＲＡＭ２３に形成された取引情報メモリ５１に登録処理するとともに、登録処理された取引情報からなるレシート印字データを生成するようにした商品登録業務を実行するモードである。
【００３９】
また、１商取引として商品登録業務実行後、小計キーがキー入力されると、登録商品の外税対象商品の小計金額に予め設定された税率を乗じて消費税を算出し、さらにこの消費税に登録商品の小計金額を加算して合計金額を算出して、前面表示器４０および客面表示部４１に合計金額を表示させるとともに、小計金額、外税対象額、税率、消費税および合計金額等とからなるレシート印字データを生成する小計業務を実行するモードでもある。
【００４０】
また、小計業務実行後、登録締め手段として機能する預／現計キーが入力されると、預かり金額から合計金額を減算することにより釣銭額を算出し、この釣銭額を前面表示器４０および客面表示部４１へ表示させるとともに、合計金額、預かり金額、釣銭額、取引番号、取引日時、責任者コードおよび責任者名からなるレシート印字データを生成し、レシート印字データをプリンタ４２によりレシート１１０、１２０に印字出力するようにした登録締め業務を実行するモードである。
【００４１】
「点検」とは、前記取引情報メモリ５１に登録処理された取引情報を点検レポートとして表示または印字出力する業務モードである。
【００４２】
「精算」モードは、「点検」モードと同様に前記取引情報メモリ５１の内容が印字された精算レポートを発行した後、前記取引情報メモリ５１の取引情報をクリアする業務モードである。
【００４３】
「設定」モードは各種業務を実行する上で必要なデータをＲＡＭ２３に設定する業務のモードである。
【００４４】
キーボードコントローラ２８は、キーボード３８から操作キーに対応したキー信号を取り込み、キー入力データを得てＣＰＵ２１に出力する。
【００４５】
キーボード３８には、図４に示すように、「００」および「０」〜「９」の登録商品の金額、ＰＬＵコード等の数値データを入力するための置数キー、ＰＬＵコードを入力するためのＰＬＵ（Price Look Up）キー、数値データが部門コードであることを指示する部門キー、×キー、取消キー、クリアキー、１商取引の小計出力を指示する小計キー、１商取引の現金取引による登録締め手段として指示する預／現計キー、１商取引の信用取引による登録締め手段として指示する信計キー、割引キー等の他、客層コード“１”〜“０”がそれぞれプリセットされている１０個の客層キーＫ１が配設されている。
【００４６】
客層キーＫ１は、１商取引ごとにその取引客の客層を入力する客層入力手段として機能する。
【００４７】
なお、ＰＬＵコードは、キーボード３８のＰＬＵキーと置数キーにより入力することも可能であり、ＰＬＵキーおよび置数キーは、商品登録手段を構成する。
【００４８】
スキャナコントローラ２９は、ＣＰＵ２１の制御によりスキャナ３９の動作を制御するとともに、スキャナ３９で生成されたスキャンデータをＲＡＭ２３に書き込む。
【００４９】
スキャナ３９は、商品に表記されたバーコードをスキャニング入力する。
【００５０】
ここで、スキャナコントローラ２９とスキャナ３９は、商品登録手段を構成する。
【００５１】
第１表示部コントローラ３０は、ＣＰＵ２１からの指令に応じて前面表示器４０の画面表示を制御する。
【００５２】
前面表示器４０は、たとえばＬＣＤ（Liquid Crystal Display）であり、ＣＰＵ２１の制御により任意の画像を表示可能である。また、オペレータに対して各種の情報を表した画像を表示するために利用される。
【００５３】
第２表示部コントローラ３１は、ＣＰＵ２１からの指令に応じて客面表示部４１の画面表示を制御する。
【００５４】
客面表示部４１は、たとえばＬＣＤであり、ＣＰＵ２１の制御により任意の画像を表示可能である。また、客面表示部４１は、客に対して各種の情報を表した画像を表示するために利用される。
【００５５】
プリンタコントローラ３２は、ＣＰＵ２１の制御によりプリンタ４２の動作を制御する。
【００５６】
プリンタ４２は、たとえば、サーマルプリンタなどであり、印字メモリ５３のレシートデータに基づいてレシート（１１０、１２０）に印字出力するものである。
【００５７】
カードリーダコントローラ３３は、ＣＰＵ２１の制御によりカードリーダ４３の動作を制御するとともにカードリーダ４３から出力されたカード情報をＲＡＭ２３に書き込む。
【００５８】
カードリーダ４３は、決済カードに記録されたカード情報を読取る。なお、決済カードとは、現金によらずに決済を行うためのカードであり、クレジットカードおよびプリペイドカードなどが含まれる。
【００５９】
次に以上のように構成されたＰＯＳ端末１１の動作について説明する。
【００６０】
図５および図６は、ＣＰＵ２１がＲＯＭ２２に格納されている制御プログラムに基づいて実行する商品販売データ処理のステップを示すフローチャートである。すなわち、モードスイッチ３６により「登録」モードが選択されている状態では、ＣＰＵ２１は、商品登録が行われるのを待機する（ステップＳＴ１１）。またはいずれかの客層キーＫ１が入力されるのを待機する（ステップＳＴ１２）。
【００６１】
この待機状態の中においてＣＰＵ２１は、ステップＳＴ１１において商品登録されたか否かを判定する。ＣＰＵ２１はステップＳＴ１２においていずれかの客層キーＫ１が入力されたか否かを判定する。
【００６２】
ＣＰＵ２１は、商品にバーコードとして表記されたＰＬＵコードがスキャナ３９によりスキャニング入力されるか、あるいはキーボード３８のキー操作によってＰＬＵコードが入力されると（ステップＳＴ１１のＹＥＳ）、その入力されたＰＬＵコードはスキャナコントローラ２９またはキーボードコントローラ２８によってＲＡＭ２３に一時的に保存される。このようにして商品情報としてのＰＬＵコードが取得される。このことを受けてＣＰＵ２１は、商品登録有と判定する。商品登録が行われると、ステップＳＴ１１からステップＳＴ１３へ進む。
【００６３】
ステップＳＴ１３おいてＣＰＵ２１は、商品販売データの登録処理を実行する。すなわちＣＰＵ２１は、ステップＳＴ１１での登録商品のＰＬＵコードに対応する商品名、単価を補助記憶部２４に形成されているＰＬＵファイルの中から取得する。そして、ＣＰＵ２１は、単価に販売点数を乗算して販売金額を算出して、ＰＬＵコード、商品名、単価、販売点数および販売金額を含む商品販売データをＲＡＭ２３の取引情報メモリ５１に登録する。
【００６４】
また、ＣＰＵ２１は、ステップＳＴ１４として取引情報メモリ５１に登録された商品販売データの商品名と販売点数と販売金額とを前面表示器４０と客面表示部４１に表示させる。
【００６５】
この後に、ＣＰＵ２１は、ステップＳＴ１１またはステップＳＴ１２の待機状態に戻る。
【００６６】
一方、客層キーＫ１のいずれか１つが入力されたならば、その入力された客層キーＫ１に関するキーコードがキーボードコントローラ２８を介しＲＡＭ２３に一時的に保存される。このことを受けてＣＰＵ２１は、ステップＳＴ１２でＹＥＳと判定し、ステップＳＴ１２からステップＳＴ１５へ進む。
【００６７】
ステップＳＴ１５においてＣＰＵ２１は、客層キーＫ１のいずれか１つが入力されたので、入力された客層キーＫ１にプリセットされている客層コードを取得する。そして、客層情報の客層コードを客層情報メモリ５２に上書き保存する。
【００６８】
次に、ＣＰＵ２１は、キーボード３８の小計キーが入力されているか否かを判定する（ステップＳＴ１６）。
【００６９】
小計キーが入力されていないと判定したときには（ステップＳＴ１６のＮＯ）、再びステップＳＴ１１の処理に戻って次の商品登録が行われるのを待機する。
【００７０】
一方、小計キーが入力されていると判定したときには（ステップＳＴ１６のＹＥＳ）、ステップＳＴ１７としてＣＰＵ２１は、１商取引の小計金額を算出するとともに、この小計金額に消費税を加算した合計金額を算出し、前面表示器４０と客面表示部４１へ表示させる。
【００７１】
また、ＣＰＵ２１は、ステップＳＴ１８として小計金額と合計金額等の取引情報を取引情報メモリ５１および印字メモリ５３に保存させる。
【００７２】
ステップＳＴ１９においてＣＰＵ２１は、客層キーＫ１のいずれか１つが再度入力されるのを待機する。そして客層キーＫ１内のいずれか１つが入力されたことを受けてＣＰＵ２１は、ステップＳＴ１９でＹＥＳと判定し、ステップＳＴ１９からステップＳＴ２０へ進む。
【００７３】
ステップＳＴ２０においてＣＰＵ２１は、客層キーＫ１のいずれか１つが入力されたならば、客層キーＫ１にプリセットされている客層情報として客層コードを客層情報メモリ５２に上書き保存する。
【００７４】
ステップＳＴ１９においてＣＰＵ２１は、客層キーＫ１が入力されないと判定すると（ステップＳＴ１９のＮＯ）、ステップＳＴ２１に進む。
【００７５】
次に、ＣＰＵ２１は、ステップＳＴ２１として預／現計キーが入力されるのを待機する。預／現計キーが入力されない場合には（ステップＳＴ２１のＮＯ）、ステップＳＴ１９に戻り、客層キーＫ１のいずれか１つが入力されるのを待機する。
【００７６】
一方、預／現計キーが入力されたときには（ステップＳＴ２１のＹＥＳ）、ステップＳＴ２２においてＣＰＵ２１は、登録締め処理を実行する。すなわち、キーボード３８の置数キーと預／現計キーとの入力により客からの預かり金額が入力されると１商取引の預かり金額から合計金額を減算して釣銭額を求め、この釣銭額を前面表示器４０と客面表示部４１へ表示させる。
【００７７】
ステップＳＴ２３においてＣＰＵ２１は、登録締め処理された合計金額、預かり金額および釣銭額等の登録締め処理の取引情報を取引情報メモリ５１および印字メモリ５３に追加保存させる。
【００７８】
次に、ステップＳＴ２４においてＣＰＵ２１は、客層情報メモリ５２に保存されている最新の客層コードを読み込む。
【００７９】
ステップＳＴ２５においてＣＰＵ２１は、客層別文字情報テーブル６１の当該客層コードに対する文字情報のフラグＦ（０：通常文字フォント、１：拡大文字フォント）をチェックする。ＣＰＵ２１は、当該客層コードに対応する文字情報のフラグＦが“１”であり、拡大文字フォントであると判定されると、ステップＳＴ２６においてＣＰＵ２１は、ＲＯＭ２２の前記拡大文字フォントメモリに格納されている拡大文字フォントを選択してレシート１２０に印字するための拡大文字レシートデータを生成する。さらに、その拡大文字レシートデータを印字メモリ５３へ格納する。
【００８０】
ステップＳＴ２７においてＣＰＵ２１は、プリンタ４２を制御し印字メモリ５３に格納されている前記拡大文字レシートデータによりレシート１２０に印字出力する(拡大文字印字出力手段)。
【００８１】
一方、ステップＳＴ２５においてＣＰＵ２１は、当該客層コードに対応する文字情報のフラグＦが“０”であり、通常文字フォントであると判定されると、ステップＳＴ２８においてＣＰＵ２１は、ＲＯＭ２２の前記通常文字フォントメモリに格納されている通常文字フォントを選択してレシート１１０に印字するための通常文字レシートデータを生成する。さらに、その通常文字レシートデータを印字メモリ５３へ格納する。
【００８２】
ステップＳＴ２８としてＣＰＵ２１は、プリンタ４２を制御し印字メモリ５３に格納されている前記通常文字レシートデータによりレシート１１０に印字出力する(通常文字印字出力手段)。
【００８３】
以上で、ＰＯＳ端末１１の「登録」モードによる商品販売データ処理は終了する。
【００８４】
このように本実施形態のＰＯＳ端末１１によれば、一つの商取引についての商品登録処理が開始から登録締め処理がされる前までの一取引期間内において顧客の客層を判断してオペレータの操作に応じた客層の判定を行うことが可能である。したがって、登録締め処理の直前まで客層キーの再入力が可能なため客層の判断に迷いがあった場合には、簡単に客層キーにより再入力することが可能となる。
【００８５】
また、前記実施形態では通常文字フォントと拡大文字フォントの２種類を使い分けることによって高齢者に対して拡大印字を可能にしたが、これ以外の方法として前期高齢者と後期高齢者に区分して後期高齢者には前期高齢者よりもさらに拡大文字を大きくした文字にしてレシートに印字出力するようにしてもよい。
【００８６】
このように、高齢者等の細かな文字が見えにくい顧客に対しては、通常の文字フォントより大きな拡大文字フォントによるレシートに印字出力することができる。したがって、高齢者等のレシート１２０の視認性を向上させることができる。
【００８７】
また、前記実施形態例ではレシートデータを印字する際にそのレシートデータを全て通常文字で印字したが、その中の一部たとえば重要な金額データ等については拡大文字フォントで印字するようにしてもよい。
【００８８】
なお、本発明は、前記実施形態そのままに限定されるものではなく、実施段階においては、その要旨を逸脱しない範囲内にて各構成要素を適宜変形して具体化することができる。
【００８９】
たとえば前記実施形態においては、前記ＰＬＵファイルは、ＰＯＳ端末１１の補助記憶部２４において保存するのではなく、サーバ１２において保存するようにしてもよい。
【００９０】
本発明の実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、構成要素の種々の変更、置換および削除を行うことができる。これら実施形態やその変形は、発明の範囲や要旨に含まれるとともに、特許請求の範囲に記載された発明とその均等の範囲に含まれる。
【符号の説明】
【００９１】
１１…ＰＯＳ端末、１２…サーバ、１３…通信ネットワーク、２１…ＣＰＵ、２２…ＲＯＭ、２３…ＲＡＭ、２４…補助記憶部、３８…キーボード、Ｋ１…客層キー、３９…スキャナ、４０…前面表示器、４１…客面表示部、４２…プリンタ、５１…取引情報メモリ、５２…客層情報メモリ、５３…印字メモリ、６１…客層別文字情報テーブル、１１０…レシート、１２０…レシート。
【図１】
2016038798.tif 000003
【図２】
2016038798.tif 000004
【図３】
2016038798.tif 000005
【図４】
2016038798.tif 000006
【図５】
2016038798.tif 000007
【図６】
2016038798.tif 000008
【図７】
2016038798.tif 000009
【図８】
2016038798.tif 000010